(57)【特許請求の範囲】
【請求項１】
人体が接する平坦面を有し、エアーを入れて弾力を持たせて使用するエアーマットにおいて、少なくとも片手を挿入して、空気室の容積を拡張すべく空気室の内側から整形して空気圧を負圧にして、外気を吸入させ空気を入れることを特徴とするエアーマットへの空気入れ方法。
【請求項２】
人体が接する平坦面を有し、エアーを入れて弾力を持たせて使用するエアーマットの空気室に少なくとも片手を挿入して、前記空気室の容積を拡張すべく空気室の内側から整形して空気室を負圧にし、外気を吸入させて空気を入れるエアーマットにおいて、
一対の可撓性のマグネット板の両端同士を互いに連結して断面環状に形成し、膨らむと空気が流通ししぼんで磁力で密着すると閉止する空気通路を設け、
その外端は外気に露出し、内端は前記空気室に露出して空気の出入口とし、この出入口及び前記空気通路に少なくとも片手を挿入可能に構成したことを特徴とするエアーマット。
【請求項３】
空気の出し入れ時は環状に開口して空気を通し、それ以外は一対の可撓性のマグネット板の面同士が密着して閉鎖する空気通路の少なくとも一部がエアーマットに収納されており、その内端が、空気の出し入れ口となっていることを特徴とする請求項２に記載のエアーマット。
【請求項４】
一対の可撓性のマグネット板の片方に凸条を有し、他方には前記凸条の入る凹状を有する構造になっていることを特徴とする請求項３に記載のエアーマット。
【請求項５】
人体が接する平坦面を有し、エアーを入れて弾力を持たせて使用するエアーマットの空気室に、少なくとも片手を挿入し、前記空気室の容積を拡張すべく空気室の内側から整形して空気室を負圧にする方法により、外気を吸入して空気を入れる構造のエアーマットを椅子に載せ、前記平坦面を斜めにして、人体が寄り掛かって使用することを特徴とするエアーマットの使用方法。
【発明の詳細な説明】
【技術分野】
【０００１】
本発明は、椅子などに載せて使用するエアーマットに関し、人工透析などのように、透析針を刺したままで長時間に渡って同じ姿勢でいても、腰痛を来したり、苦痛を覚えたりするのを防止することにある。
【背景技術】
【０００２】
人工透析などのように、透析針を刺したままで長時間に渡って同じ姿勢でいると、腰痛を来したり、苦痛を覚えたりすることが多い。特に近年のように、人工透析患者や高齢者が増えると、このような問題が顕著になり、その解決が望まれる。
特許文献１や特許文献２、特許文献３のように、腰痛防止専用の空気枕が知られているが、効果が限られている。
【先行技術文献】
【特許文献】
【０００３】
【特許文献１】実開平６−82969
【０００４】
【特許文献２】特開平10−313970
【０００５】
【特許文献３】特開2002−291573
【０００６】
【特許文献４】特表2005−517466
【発明の概要】
【発明が解決しようとする課題】
【０００７】
特許文献１〜３に記載の空気枕は簡易式であり、安価に導入できるが、椅子に深く座った状態で使用するので、使用者の姿勢が限られるという欠点が避けられず、人工透析などのように長時間に渡って透析針を刺したままで同じ姿勢でいる場合に、腰痛を来したり、苦痛を覚えたりするのを効果的に防止することができない。
特許文献４によると、リクライニング式の椅子に対応するべく考慮されているが、空気室が大きいため空気入れが面倒であり、空気入れに長時間を要するだけでなく、機械式に空気入れするには空気入れ器が必要となる。
本発明の技術的課題は、このような問題に着目し、特に大量の空気を入れる操作が容易なエアーマットを実現すると共に、長時間に渡って同じ姿勢でいても、腰痛を来したり、苦痛を覚えたりするのを効果的に防止可能とする。
【課題を解決するための手段】
【０００８】
請求項１は、人体が接する平坦面を有し、エアーを入れて弾力を持たせて使用するエアーマットにおいて、少なくとも片手を挿入して、空気室の容積を拡張すべく空気室の内側から整形して空気圧を負圧にして、外気を吸入させ空気を入れることを特徴とするエアーマットへの空気入れ方法である。
【０００９】
請求項２は、人体が接する平坦面を有し、エアーを入れて弾力を持たせて使用するエアーマットの空気室に少なくとも片手を挿入して、前記空気室の容積を拡張すべく空気室の内側から整形して空気室を負圧にし、外気を吸入させて空気を入れるエアーマットにおいて、
一対の可撓性のマグネット板の両端同士を互いに連結して断面環状に形成し、膨らむと空気が流通ししぼんで磁力で密着すると閉止する空気通路を設け、
その外端は外気に露出し、内端は前記空気室に露出して空気の出入口とし、この出入口及び前記空気通路に少なくとも片手を挿入可能に構成したことを特徴とするエアーマットである。
【００１０】
請求項３は、空気の出し入れ時は環状に開口して空気を通し、使用時は一対の可撓性のマグネット板の面同士が密着して閉鎖する空気通路の少なくとも一部がエアーマットに収納されており、その内端が、空気の出入口となっていることを特徴とする請求項２に記載のエアーマットである。
【００１１】
請求項４は、一対の可撓性のマグネット板の片方に凸条を有し、他方には前記凸条の入る凹状を有する構造になっていることを特徴とする請求項３に記載のエアーマットである。
【００１２】
請求項５は、エアーマットの使用方法の発明であるが、エアーマット自体は、請求項１のように、人体が接する平坦面を有し、エアーを入れて弾力を持たせて使用するエアーマットの空気室に、少なくとも片手を挿入し、前記空気室の容積を拡張すべく空気室の内側から整形して空気室を負圧にする方法により、外気を吸入して空気を入れる構造をしている。このエアーマットの使用に当たっては、エアーマットを椅子に載せ、前記平坦面を斜めにして、この平坦面に人体が寄り掛かるようにして使用する。
【発明の効果】
【００１３】
請求項１のように、人体が接する平坦面を有し、エアーを入れて弾力を持たせて使用するエアーマットにおいて、少なくとも片手を挿入して、空気室の容積を拡張すべく空気室の内側から整形して空気圧を負圧にして、外気を吸入させ空気を入れる方法によると、空気室が負圧になって正圧の外気を吸入してエアーマットが膨らむので、片手を挿入できる大きさの開口から大量の空気入れが可能で、大型のエアーマットでも短時間に空気入れできる。
【００１４】
請求項２のように、人体が接する平坦面を有し、エアーを入れて弾力を持たせて使用するエアーマットの空気室に少なくとも片手を挿入して、前記空気室の容積を拡張すべく空気室の内側から整形して空気室を負圧にし、外気を吸入させて空気を入れるエアーマットであるので、容易に大量の空気入れが可能で、大型のエアーマットでも短時間に空気入れできる。
しかも、一対の可撓性のマグネット板の両端同士を互いに連結して断面環状に形成し、膨らむと空気が流通ししぼんで磁力で密着すると閉止する空気通路を設けてあるので、片手を抜くと自動的にマグネット板の吸着力の作用で出入口や空気通路が閉じられる。
【００１５】
請求項３のように、空気の出し入れ時は環状に開口して空気を通し、使用時は一対の可撓性のマグネット板の面同士が密着して閉鎖する空気通路を有し、その少なくとも一部がエアーマットに収納されており、その内端が、空気の出入口となっているので、空気の出入口のみ閉じれば、後は人体の荷重で空気室の内圧が外気圧より高くなるのを利用して、空気通路が可撓性で変形して密着し確実に閉鎖される。
【００１６】
請求項４のように、一対の可撓性のマグネット板の片方に凸条を有し、他方には前記凸条の入る凹状を有する構造になっているので、前記凸条が前記凹条に嵌入することで空気が通過不能に閉じ、可撓性のマグネット板の受ける内圧や復元力で閉じた状態が維持されて、空気の出入りが不能となる。
【００１７】
請求項５のように、人体が接する平坦面を有し、エアーを入れて弾力を持たせて使用するエアーマットの空気室に、少なくとも片手を挿入し、前記空気室の容積を拡張すべく空気室の内側から整形して空気室を負圧にする方法により、外気を吸入して空気を入れる構造のエアーマットを椅子に載せ、前記平坦面を斜めにして、人体が寄り掛かって使用する方法によると、エアーマットの空気室に作用する人体による負荷は軽減される。そのため、透析針を刺した部位は動かさずに、その他は、空気圧の低いエアーマットに斜めに寄り掛かることで動きやすいので、疲労感が少なく、腰痛になることもない。
【図面の簡単な説明】
【００１８】
【図１】本発明によるエアーマットの実施形態と使用状態を示す図である。
【図２】本発明によるエアーマットを椅子に載せた状態の斜視図である。
【図３】本発明によるエアーマットの空気の入れ方と出し方を示す斜視図である。
【図４】本発明によるエアーマットの概念図と空気通路の断面図である。
【図５】本発明による空気通路（閉鎖状態）の作用を説明する図である。
【図６】本発明による空気通路の実施形態（解放状態）を示す断面図と斜視図である。
【図７】エアーマットの収納工程を示す斜視図である。
【図８】エアーマットへの負荷の作用条件が悪い例である。
【発明を実施するための形態】
【００１９】
次に本発明によるエアーマットが実際上どのように具体化されるか実施形態を説明する。図１は本発明によるエアーマットの一例を示す斜視図と使用時の側面図であり、人体１が寄り掛かれるように、上面２はほぼ平坦になっており、下面３、４は、椅子のシート５と背もたれ６の上面に対応できるように、例えばほぼ三角状に形成されている。
【００２０】
実際のリクライニング式の椅子に本発明のエアーマットｍを載せた状態を斜視図で示すと、図２のようになり、椅子のシートと背もたれの上面に、前記エアーマットｍのほぼ三角状部３、４を載せてある。しかも、左右のひじ掛け９、１０の間に入るような幅になっている。１１は滑り止めであり、例えば編んだメッシュのテープを両面テープなどで接着したり、浮きマットのように畝状の凹凸を形成してある。
このエアーマットを椅子に載せた場合に、斜めになった平坦な上面２の下端のほぼ水平の領域７が、人体１の尻の部分が椅子のシート５の前端に浅く座り易いように形成されている。その結果、図１（２）のような使用状態において、人体１が安定よく椅子のシート部５の前端に載ることができ、エアーマットｍは人体１の重みで加圧される。このとき、エアーマットｍの中の空気室Ａは、人体の荷重で大気圧より高くなるが、斜めに寄り掛かるので、エアーマットｍが、人体１から受ける負荷は軽くなり、透析針を刺した部位以外を容易に動かしたりでき、腰痛や苦痛が軽減される。
【００２１】
すなわち、従来の人工透析などで使うリクライニング椅子は、通常腰を深く腰掛け、背もたれを前後方に倒して調節する。しかし、上半身の重さが座面に接している腰や太ももに集中するため、長時間座り放しだと辛くなる。
そこで本発明のエアーマットは、座面の先端に尻の一部を乗せる程度に浅く腰掛けて座り、上半身をエアーマットで斜めに支えることによって、上半身の重さを腰部に溜めることなく分散させる。
【００２２】
エアーマットであるから、空気を入れたり、出したりする必要があるが、本発明のエアーマットは大容量のため、空気の出入口は、少なくとも片手を挿入して、空気室Ａを内側から整形できる大きさが必要である。
図３（１）は、片手を挿入して、前記空気室Ａを内側から整形する場合のエアーマットｍの斜視図であり、空気を出し入れする開口１２は、少なくとも片手を挿入して、空気室Ａを内側から拡げられる大きさになっている。すなわち、少なくとも片手を挿入したりして、エアーマットｍの空気室Ａを内側から拡げて整形する際に空気室Ａが負圧になるので、自然と外気を吸入して空気が６０〜８０％程度入る。その結果、エアーマットｍはある程度膨らむ。
空気を抜きたい場合は、図３（２）のように、開口１２を開けた状態で、内部Ａの空気を押し出せばよい。例えば、エアーマットｍを反対側から巻き取って畳んでいくと、内部Ａの空気が開口１２から容易に押し出されるので、携帯や保管に便利である。
【００２３】
図４は、図３のエアーマットｍの改良型を示す原理図であり、空気の出し入れ時は（２）図のように環状に開口して空気を通し、それ以外は一対の可撓性のマグネット板１３、１４の面同士が密着して閉鎖する空気通路１５になっている。この空気通路１５の少なくとも一部がエアーマットｍの中に入っており、その内端が、空気の出入口１２１となっている。
このエアーマットｍを図１に対応して示すと、図５のようになる。すなわち、外気を６０〜８０％程度吸入してから出入口１２１を閉じ、図５（１）のように椅子に浅く座って寄り掛かると、人体の重みでエアーマットｍ内が大気圧より高くなり、その高い圧力が一対の可撓性のマグネット板１３、１４の外面に矢印のように加わるので、可撓性のマグネット板１３、１４の内面同士が密着して確実に閉じられ、空気の漏れが生じない。このように、開閉口の端に尻の一部を乗せて座っている為、エアーマット中の空気の出を防ぐことができる。なお、片方の可撓性壁１４は、エアーマットｍと一体となり、大気圧を受ける構造も可能である。
患者自身の体型に合わせ、上半身斜めの体勢を取れるように、エアーマット中の空気量は６０〜８０％と控え目のほうが良い。
この加圧状態を断面図で示すと、図５（２）のようになる。なお、１８は座布団であり、不可欠ではない。
【００２４】
エアーマット上に作用する負荷Ｗの位置によっては、図８（１）や図６のように空気通路１５のエアーマットｍとの連結部側が上下に引かれて開く恐れがある。この連結部と内端の出入口１２１との間は離れでいるため、エアーマットｍ内の空気は漏れない。
開くのを防止するには、（２）図のように、空気通路１５を長く出したり、（３）図のように、バッグなどに多用されているチャックやマジックテープ（登録商標）などで機械的に閉じるとよい。
【００２５】
図６は前記空気通路１５と出入口１２１の実施形態を示す断面図と斜視図であり、エアーマットｍは、空気通路１５との接合部のみを示してある。合成樹脂製の可撓性のマグネット板１３、１４で環状の通路１５を形成して空気が通過可能に製造してある。
いま、エアーマットｍの空気室Ａの容積を拡張すべく、空気室Ａに手を挿入し整形して負圧にし、外気を自然に吸入させ空気を入れる。空気が５０〜８０％程度入ってから手を抜くと、空気通路が可撓性のマグネット板１３、１４の弾力で復元し、出入口１２１は自然に閉じる。
そして、エアーマットｍに人体が寄り掛かると、人体の荷重でエアーマットｍ内が大気圧より高くなり、その高い圧力が一対の可撓性のマグネット板１３、１４の外面に矢印のように加わるので、可撓性のマグネット板１３、１４の内面同士が密着して確実に閉じられる。
【００２６】
さらに、空気通路１５の内端の出入口１２１において、片方に凸条１６を有し、他方には前記凸条の入る凹状１７を有し、前記凸条１６が前記凹条１７に、復元力で嵌入することで空気が通過不能に閉じる。この凸条１６や凹状１７は、シリコーン樹脂などのように表面に粘着性を持たせたり、弾力性や復元力に富んだ合成樹脂を用いると、より確実に開閉できる。
出入口１２１に限らず、空気通路１５を形成する可撓性のマグネット板１３、１４の内面に凸条１６や凹条１７を形成してもよい。また、可撓性のマグネット板１３、１４として、永久磁石の粉末ｍｇを合成樹脂に練り込んだ磁性薄板を用いると、片手を抜くと自動的に吸着力の作用で出入口１２１や空気通路１５が閉じられる。
【００２７】
エアーマットｍ内に予め弾性体を内臓しておけば、図７のような代用品１９を出入口１２１に挿入しても足りる。すなわち、代用品１９を挿入して出入口１２１を強制的に開けておけば、前記弾性体が開いて自動的に外気を負圧で吸入できる。吸入後は、代用品１９を出入口１２１から抜けば、前記の永久磁石粉末ｍｇの磁力で自動的に閉じられる。そして、（１）図のように出入口から遠い部分から畳むと、エアーマットｍ内が排気されると共に前記弾性体も畳まれる。その後は、（２）→（３）の順に折り畳み、前記代用品１９がバッグの場合は、その中に、折り畳んだエアーマットｍを収納し携帯したり移動したりできる。
【産業上の利用可能性】
【００２８】
以上のように、片手でエアーマットの空気室を拡げて負圧を発生させ、外気を吸入する方法であるから、大量の空気でも容易に入れることができる。また下面は、椅子のシートと背もたれの上面のような複雑な形状にも対応でき、使い勝手がよい。
【符号の説明】
【００２９】
１  人体                    
２  上面（平坦部）
３・４  ほぼ三角状部              
ｍ  エアーマット
Ａ  空気室
５  シート
６  背もたれ
７  尻を載せる領域
８  スカート部
９  右のひじ掛け
１０  左のひじ掛け
１１  滑り止め
１２  空気室の負圧で空気を吸入する開口
１２１  出入口
１３・１４    可撓性のマグネット板
１５  空気通路
１６  凸条
１７  凹条
１８  座布団
【要約】      （修正有）【課題】特に大量の空気を入れる操作が容易なエアーマットを実現すると共に、長時間に渡って同じ姿勢でいても、腰痛を来したり、苦痛を覚えたりするのを効果的に防止可能とする。【解決手段】人体が接する平坦面を有し、エアーを入れて弾力を持たせて使用するエアーマットｍにおいて、少なくとも片手を挿入して、空気室Ａの容積を拡張すべく空気室Ａの内側から整形して空気圧を負圧にして、外気を吸入させ空気を入れる方法によると、空気室Ａが負圧になって正圧の外気を吸入してエアーマットｍが膨らむので、片手を挿入できる大きさの開口から大量の空気入れが可能で、大型のエアーマットｍでも短時間に空気入れできる。【選択図】図３【図１】
0005448124.tif 000002
【図２】
0005448124.tif 000003
【図３】
0005448124.tif 000004
【図４】
0005448124.tif 000005
【図５】
0005448124.tif 000006
【図６】
0005448124.tif 000007
【図７】
0005448124.tif 000008
【図８】
0005448124.tif 000009